【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
送信機と受信機とを含むＣＤＭＡ通信システムにおいてデータを送信する方法であって、送信すべきデータが供給され（ステップ３０１）、第１の通信信号バーストが前記送信機の第１のアンテナ経由で送信され、第２の通信信号バーストが前記送信機の第２のアンテナ経由で送信され（ステップ３０８）、受信機において前記第１および第２の通信信号バーストの検出したシンボルを合成して前記供給されたデータのシンボルを回復する（ステップ３１４）送信方法において、
第１のチャネライゼーション符号を用いて前記供給されたデータを拡散し、第１の拡散ずみデータを生ずる過程（ステップ３０６）と、
前記第１のチャネライゼーション符号とは異なる第２のチャネライゼーション符号を用いて前記供給されたデータを拡散し、第２の拡散ずみデータを生ずる過程（ステップ３０６）と、
第１のトレーニング系列を前記第１の拡散ずみのデータに挿入することにより前記第１の通信信号バーストを生ずる過程と、
前記第１のトレーニング系列とは異なる第２のトレーニング系列を前記第２の拡散ずみデータに挿入することにより前記第２の通信信号バーストを生ずる過程と、
前記第１のトレーニング系列の受信出力を用いて前記第１の通信信号バーストのチャネル情報を第１のチャネル情報として推算する過程（ステップ３１１）と、
前記第２のトレーニング系列の受信出力を用いて前記第２の通信信号バーストのチャネル情報を第２のチャネル情報として推算する過程（ステップ３１１）と、
前記第１および第２のチャネライゼーション符号および前記第１および第２のチャネル情報を用いて前記第１および第２の通信信号バーストの前記シンボルを前記受信機で検出する過程（ステップ３１２）と
を含む方法。
【請求項２】
前記拡散ずみの第１および第２のデータを前記送信機と関連づけたスクランブル用符号によりスクランブルする過程（ステップ３０７）をさらに含む請求項１記載の方法。
【請求項３】
基地局が前記受信機をさらに含み、ユーザ装置（ＵＥ）が前記送信機をさらに含む請求項１記載の方法。
【請求項４】
前記供給されたデータの符号化を前記符号化ずみのデータが複素共役値を有して順序変更されるように行う過程をさらに含み、前記第２の通信信号バーストを生ずる過程を前記符号化ずみデータを用いて行う（ステップ３０３−３０５）請求項１記載の方法。
【請求項５】
前記シンボルを検出する過程を共同検出装置によって行う請求項１記載の方法。
【請求項６】
データを送信する送信機であって、第１の通信信号バーストを送信する第１のアンテナ（１７）および第２の通信信号バーストを送信する第２のアンテナを含む送信機において、
前記供給されたデータの拡散を、第１のチャネライゼーション符号を用いて前記供給されたデータを前記第１の拡散装置（８）が拡散して第１の拡散ずみデータを生じ、前記第１のチャネライゼーション符号とは異なる第２のチャネライゼーション符号を用いて前記供給されたデータを前記第２の拡散装置（９）が拡散して第２の拡散ずみデータを生ずるように行う第１および第２の拡散装置（８，９）と
第１のトレーニング系列を前記第１の拡散ずみのデータに挿入して第１の通信信号バーストを生ずる第１のトレーニング系列挿入装置（１２）と、
第２のトレーニング系列を前記第２の拡散ずみのデータに挿入して第２の通信信号バーストを生ずる第２のトレーニング系列挿入装置（１３）と
を含む送信機。
【請求項７】
前記拡散ずみの第１および第２のデータを前記送信機と関連づけた単一のスクランブル用符号によりスクランブルする第１および第２のスクランブル装置をさらに含む請求項６記載の送信機。
【請求項８】
前記供給されたデータの符号化を前記符号化ずみのデータが複素共役値を有して順序変更されるように行う符号器（１１）をさらに含み、前記第２の通信信号バーストの発生を前記符号化ずみのデータを用いて行う請求項６記載の送信機。
【請求項９】
互いに交信する複数の基地局およびユーザ装置を含むＣＤＭＡ通信システムであって、前記基地局が第１の通信信号バーストを送信する第１のアンテナ（１５）および第２の通信信号バーストを送信する第２のアンテナ（１６）を含み、前記ユーザ装置が前記第１および第２の通信信号バーストの検出ずみのシンボルを合成して前記供給されたデータのシンボルを回復する手段（２２）を含む前記ＣＤＭＡ通信システムにおいて、
前記複数の基地局の各々が、
前記供給されたデータの拡散を、第１のチャネライゼーション符号を用いて前記第１の拡散手段（８）が前記供給されたデータを拡散し、前記第１のチャネライゼーション符号とは異なる第２のチャネライゼーション符号を用いて前記第２の拡散手段（９）が前記供給されたデータを拡散するように行う第１および第２の拡散手段（８，９）と、
第１のトレーニング系列を前記第１の拡散ずみのデータに挿入して第１の通信信号バーストを生ずる第１のトレーニング系列挿入装置（１２）と、
第２のトレーニング系列を前記第２の拡散ずみのデータに挿入して第２の通信信号バーストを生ずる第２のトレーニング系列挿入装置（１３）と
を含み、
前記ユーザ装置（ＵＥ）が、
前記第１のトレーニング系列の受信出力を用いて前記第１の通信信号バーストのチャネル情報を第１のチャネル情報として推算し、前記第２のトレーニング系列の受信出力を用いて前記第２の通信信号バーストのチャネル情報を推算する手段（２３）と、
前記第１および第２のチャネライゼーション符号および前記第１および第２のチャネル情報を用いて前記第１および第２の通信信号バーストの前記シンボルを検出する手段（２４）と
を含む通信システム。
【請求項１０】
前記拡散ずみの第１および第２のデータを前記基地局と関連づけたスクランブル用符号によりスクランブルする手段を各基地局についてさらに含む請求項９記載の通信システム。
【請求項１１】
前記供給されたデータの符号化を前記符号化ずみのデータが複素共役値を有して順序変更されるように行う符号化手段（１１）をさらに含み、前記第２の通信信号バーストの発生を前記符号化ずみのデータを用いて行う請求項９記載の通信システム。
【請求項１２】
前記検出手段（２４）が共同検出装置であることをさらに特徴とする請求項９記載の通信システム。
【請求項１３】
第１の通信信号バーストを送信する第１のアンテナ（１５）および第２の通信信号バーストを送信する第２のアンテナ（１６）と、
供給されたデータの拡散を、第１のチャネライゼーション符号を用いて第１の拡散手段（８）が前記供給されたデータを拡散して第１の拡散ずみのデータを生成し、前記第１のチャネライゼーション符号とは異なる第２のチャネライゼーション符号を用いて第２の拡散手段（９）が前記供給された同じデータを拡散して第２の拡散ずみのデータを生成するように行う前記第１および第２の拡散手段（８，９）と
を含む基地局において、
第１のトレーニング系列を前記第１の拡散ずみのデータに挿入して第１の通信信号バーストを生ずる第３の手段（１２）と、
第２のトレーニング系列を前記第２の拡散ずみのデータに挿入して第２の通信信号バーストを生ずる第４の手段（１３）と
をさらに含むことを特徴とする基地局。
【請求項１４】
前記第１の手段（８）が拡散装置を含み、前記第２の手段（９）が拡散装置を含み、前記第３の手段（１２）がトレーニング系列挿入装置を含み、前記第４の手段（１３）がトレーニング系列挿入装置を含む請求項１３記載の基地局。
【請求項１５】
前記第１および第２の拡散ずみのデータを基地局に関連づけた単一のスクランブル用符号によりスクランブルする手段をさらに含む請求項１３または請求項１４記載の基地局。
【請求項１６】
前記第１および第２の拡散ずみのデータをスクランブルする手段が前記第１および第２の拡散ずみのデータをそれぞれスクランブルする第１および第２のスクランブル装置を含む請求項１５記載の基地局。